(57)【要約】【課題】  基材をリールドラムに対して一定の巻取用抱き着き角で抱き着かせながら巻取コアに巻取り可能にするとともに、巻取コアに所定量を巻取った後の基材をカッタによって確実に切断可能にすること。【解決手段】  基材の巻取装置１００であって、パス切換ロール５０と、カッタ６０と、基材サポートユニット７０と、基材巻取開始装置８０と、基材サポートユニット切換移動装置９０とを有してなるもの。【選択図】  図１
2019182619.tif 000002
【特許請求の範囲】
【請求項１】
リールドラムに抱き着いて案内される基材を該リールドラムによって巻取コアに押圧して該巻取コアに巻取り、所定量の巻取り後にカッタによって切断された基材の切断端を新巻取コアに切換えて巻取る基材の巻取方法であって、
基材がリールドラムに対し巻取用抱き着き角で抱き着くように該基材を巻取用パスに沿って該リールドラムに進入させ、該基材を該リールドラムによって巻取コアに押圧して該巻取コアに巻取る巻取工程と、
巻取コアに対する基材の所定量の巻取り後に、該基材をリールドラムに進入させるパスを、前記巻取用パスから、該基材が該リールドラムに対して巻取用抱き着き角より小さな切断用抱き着き角で抱き着くように該基材を該リールドラムに進入させる切断用パスに切換える第１パス切換工程と、
基材サポートユニットを、巻取用パスを走行する基材の下面とリールドラムとの間の待機位置から、切断用パスを走行する基材の下面とリールドラムとの間の作業位置に切換移動させる基材サポートユニット切換移動工程と、
リールドラムに対する上流位置で、切断用パスを走行する基材の幅方向に沿ってカッタを原位置から切断完了位置までトラバースさせ、該基材を切断する切断工程と、
カッタによって切断されて切断用パスを走行する基材の切断端の下面を、該カッタからリールドラムに至るまでの間で基材サポートユニットによって支持する基材サポート工程と、
基材巻取開始装置を用いて、リールドラムの上方に新巻取コアを待機させ、カッタによって切断された基材の切断端が該新巻取コアの下方に到達したときに、該新巻取コアを該リールドラムの上に落下させて該基材の切断端を該新巻取コアと該リールドラムとで挟み、該基材の切断端を該新巻取コア上の粘着テープに粘着させて該新巻取コアに巻取り開始する巻取開始工程と、
基材サポートユニットを、前記作業位置から前記待機位置に切換移動させる基材サポートユニット復帰工程と、
カッタによって切断された基材をリールドラムに進入させるパスを、前記切断用パスから前記巻取用パスに切換える第２パス切換工程と、
カッタによって切断された基材のパスが第２パス切換工程によって巻取用パスに切換えられたときに、カッタを切断完了位置から原位置に復帰させるカッタ復帰工程とを有してなる基材の巻取方法。
【請求項２】
前記基材サポート工程で、基材サポートユニットが有する下部ガイド板により、基材の切断端の下面を支持する請求項１に記載の基材の巻取方法。
【請求項３】
前記基材サポート工程で、基材サポートユニットが有するエア吹出装置の吹出エアにより、カッタから下部ガイド板に至までの間で走行する基材の切断端の下面を支持する請求項２に記載の基材の巻取方法。
【請求項４】
前記巻取開始工程で、基材巻取開始装置が有する巻込みローラにより、基材の切断端及び粘着テープを新巻取コアとの間でニップする請求項１乃至３のいずれかに記載の基材の巻取方法。
【請求項５】
リールドラムに抱き着いて案内される基材を該リールドラムによって巻取コアに押圧して該巻取コアに巻取り、所定量の巻取り後にカッタによって切断された基材の切断端を新巻取コアに切換えて巻取る基材の巻取装置であって、
基材をリールドラムに進入させるパスを、該基材が該リールドラムに対し巻取用抱き着き角で抱き着くように該基材を該リールドラムに進入させる巻取用パスと、該基材が該リールドラムに対して巻取用抱き着き角より小さな切断用抱き着き角で抱き着くように該基材を該リールドラムに進入させる切断用パスとに切換えるパス切換ロールと、
リールドラムに対する上流位置で、切断用パスを走行する基材の幅方向に沿って原位置から切断完了位置までトラバースし、該基材を切断するとともに、切断された基材のパスが切断用パスから巻取用パスに切換えられたときに、切断完了位置から原位置に復帰せしめられるカッタと、
カッタによって切断されて切断用パスを走行する基材の切断端の下面を、該カッタからリールドラムに至るまでの間で支持する基材サポートユニットと、
リールドラムの上方に新巻取コアを待機させ、カッタによって切断された基材の切断端が該新巻取コアの下方に到達したときに、該新巻取コアを該リールドラムの上に落下させて該基材の切断端を該新巻取コアと該リールドラムとで挟み、該基材の切断端を該新巻取コア上の粘着テープに粘着させて該新巻取コアに巻取り開始する基材巻取開始装置と、
基材サポートユニットを、巻取用パスを走行する基材の下面とリールドラムとの間の待機位置と、切断用パスを走行する基材の下面とリールドラムとの間の作業位置とに切換移動させる基材サポートユニット切換移動装置とを有してなる基材の巻取装置。
【請求項６】
前記基材サポートユニットが、基材の切断端の下面を支持する下部ガイド板を有してなる請求項５に記載の基材の巻取装置。
【請求項７】
前記基材サポートユニットが、カッタから下部ガイド板に至るまでの間で走行する基材の切断端の下面を吹出エアによって支持するエア吹出装置を有してなる請求項６に記載の基材の巻取装置。
【請求項８】
前記基材巻取開始装置が、基材の切断端及び粘着テープを新巻取コアとの間でニップする巻込みローラを有してなる請求項５乃至７のいずれかに記載の基材の巻取装置。
【発明の詳細な説明】
【技術分野】
【０００１】
本発明は、連続して送給されてくる基材を巻取コアに巻取るに際し、巻取コアへの巻取りが満巻となったときに、該基材の走行を停止することなく、該基材の巻取り先を該巻取コアから新巻取コアに切り替えて巻取る巻取方法及び装置に関する。
【背景技術】
【０００２】
従来の基材の巻取装置として、特許文献１、２に記載の如く、リールドラムによって案内される基材を該リールドラムによって巻取コアに押圧して該巻取コアに巻取り、所定量の巻取り後に切断された基材の切断端を新巻取コアに切り替えて巻取るものが提案されている。
【０００３】
特許文献１に記載の巻取装置は、リールドラムに案内されて走行する基材の上流位置で、該基材の幅方向にカッタを走行させてミシン目状の破断部を形成させ、その下流位置で、新巻取コアの回転開始とともに該ドラム上に紐糸状物を螺旋状に巻付かせる紐糸巻付手段を用い、該巻付手段を、基材のミシン目状破断部が新巻取コアへ到達した時期と同期させて巻付け開始させ、基材のミシン目状破断部に沿ってその下方から紐糸状物を巻付かせて該基材を切断し、その切断端を新巻取コアに巻付け、巻取るものである。
【０００４】
特許文献２に記載の巻取装置は、リールドラムの上流位置で、該リールドラムに案内されて走行する基材の幅方向に移動し、該基材にミシン目状破断部を形成するカッタと、粘着テープが貼り付けられた新巻取コアを保持し、基材に形成したミシン目状破断部の先端が新巻取コアの面前を通過した直後に、新巻取コアとリールドラムとで基材を挟持して該基材をミシン目状破断部で切断し、基材のこの切断端を新巻取コア上の粘着テープに粘着させて該新巻取コアに巻取る基材切断巻取部とを有して構成されるものである。
【先行技術文献】
【特許文献】
【０００５】
【特許文献１】特開平9-40240号公報
【特許文献２】特開2015-168517号公報
【発明の概要】
【発明が解決しようとする課題】
【０００６】
特許文献１に記載の基材の巻取装置は、基材の切断手段として、紐糸状物とその巻付手段を用意し、基材のミシン目状破断部の先端が新巻取コアに到達したときから、新巻取コアの回転と新巻取コアへの紐糸状物の螺旋状の巻付きを開始し、基材のミシン目状破断部に沿うように紐糸状物を巻付かせる必要があり、構成複雑である。
【０００７】
特許文献２に記載の基材の巻取装置は、基材にミシン目状破断部を形成し、次の新巻取コアに粘着テープを貼り付け、基材のミシン目状破断部の先端に後続する部分を新巻取コアとリールドラムとで挟持するだけで、満巻状態にある巻取コアの回転力が基材に付与する張力により該基材を簡易に切断するものになる。この基材の切断端が新巻取コア上の粘着テープに粘着し、該新巻取コアに巻取られる。
【０００８】
しかしながら、特許文献２に記載の基材の巻取装置は、基材のミシン目状破断部を、満巻状態にある巻取コアの回転力が基材に付与する張力により切断するものであり、基材に対する切断能力に限界がある。即ち、厚いシートや特殊繊維シート等のある程度強じんな基材にあっては、カッタによれば容易に切断できるものであっても、基材に形成したミシン目状破断部を上述した張力の付加によって確実に切断するには困難があり、基材を確実に切断して新巻取コアに巻取ることに困難がある。
【０００９】
尚、基材をリールドラムによって巻取コアに押圧して該巻取コアに巻取る基材の巻取装置では、リールドラムの回転力を該リールドラムに抱き着いている基材に付与し、この回転力に起因して該基材に生ずる張力により、該基材をその上流側パスからリールドラムに安定的に導入させることができる。従って、基材の安定した巻取りのために、リールドラムに対する一定の抱き着き角を基材に確保する必要がある。
【００１０】
また、巻取コアに所定量を巻取った後の基材をカッタによって切断し、その切断端をリールドラム上で新巻取コアに切換えて巻取る基材の巻取装置では、基材の切断端をカッタからリールドラムに向けて安定的に走行させる必要がある。
【００１１】
本発明の課題は、基材をリールドラムによって巻取コアに押圧して該巻取コアに巻取るに際し、リールドラムに対して必要とされる一定の巻取用抱き着き角を基材に確保しながら該基材を巻取り可能にするとともに、巻取コアに所定量を巻取った後の基材をカッタによって確実に切断可能にし、切断された基材の切断端をカッタからリールドラムに向けて安定的に走行させることにある。
【課題を解決するための手段】
【００１２】
請求項１に係る発明は、リールドラムに抱き着いて案内される基材を該リールドラムによって巻取コアに押圧して該巻取コアに巻取り、所定量の巻取り後にカッタによって切断された基材の切断端を新巻取コアに切換えて巻取る基材の巻取方法であって、基材がリールドラムに対し巻取用抱き着き角で抱き着くように該基材を巻取用パスに沿って該リールドラムに進入させ、該基材を該リールドラムによって巻取コアに押圧して該巻取コアに巻取る巻取工程と、巻取コアに対する基材の所定量の巻取り後に、該基材をリールドラムに進入させるパスを、前記巻取用パスから、該基材が該リールドラムに対して巻取用抱き着き角より小さな切断用抱き着き角で抱き着くように該基材を該リールドラムに進入させる切断用パスに切換える第１パス切換工程と、基材サポートユニットを、巻取用パスを走行する基材の下面とリールドラムとの間の待機位置から、切断用パスを走行する基材の下面とリールドラムとの間の作業位置に切換移動させる基材サポートユニット切換移動工程と、リールドラムに対する上流位置で、切断用パスを走行する基材の幅方向に沿ってカッタを原位置から切断完了位置までトラバースさせ、該基材を切断する切断工程と、カッタによって切断されて切断用パスを走行する基材の切断端の下面を、該カッタからリールドラムに至るまでの間で基材サポートユニットによって支持する基材サポート工程と、基材巻取開始装置を用いて、リールドラムの上方に新巻取コアを待機させ、カッタによって切断された基材の切断端が該新巻取コアの下方に到達したときに、該新巻取コアを該リールドラムの上に落下させて該基材の切断端を該新巻取コアと該リールドラムとで挟み、該基材の切断端を該新巻取コア上の粘着テープに粘着させて該新巻取コアに巻取り開始する巻取開始工程と、基材サポートユニットを、前記作業位置から前記待機位置に切換移動させる基材サポートユニット復帰工程と、カッタによって切断された基材をリールドラムに進入させるパスを、前記切断用パスから前記巻取用パスに切換える第２パス切換工程と、カッタによって切断された基材のパスが第２パス切換工程によって巻取用パスに切換えられたときに、カッタを切断完了位置から原位置に復帰させるカッタ復帰工程とを有してなるようにしたものである。
【００１３】
請求項２に係る発明は、請求項１に係る発明において更に、前記基材サポート工程で、基材サポートユニットが有する下部ガイド板により、基材の切断端の下面を支持するようにしたものである。
【００１４】
請求項３に係る発明は、請求項２に係る発明において更に、前記基材サポート工程で、基材サポートユニットが有するエア吹出装置の吹出エアにより、カッタから下部ガイド板に至までの間で走行する基材の切断端の下面を支持するようにしたものである。
【００１５】
請求項４に係る発明は、請求項１乃至３のいずれかに係る発明において更に、前記巻取開始工程で、基材巻取開始装置が有する巻込みローラにより、基材の切断端及び粘着テープを新巻取コアとの間でニップするようにしたものである。
【００１６】
請求項５に係る発明は、リールドラムに抱き着いて案内される基材を該リールドラムによって巻取コアに押圧して該巻取コアに巻取り、所定量の巻取り後にカッタによって切断された基材の切断端を新巻取コアに切換えて巻取る基材の巻取装置であって、基材をリールドラムに進入させるパスを、該基材が該リールドラムに対し巻取用抱き着き角で抱き着くように該基材を該リールドラムに進入させる巻取用パスと、該基材が該リールドラムに対して巻取用抱き着き角より小さな切断用抱き着き角で抱き着くように該基材を該リールドラムに進入させる切断用パスとに切換えるパス切換ロールと、リールドラムに対する上流位置で、切断用パスを走行する基材の幅方向に沿って原位置から切断完了位置までトラバースし、該基材を切断するとともに、切断された基材のパスが切断用パスから巻取用パスに切換えられたときに、切断完了位置から原位置に復帰せしめられるカッタと、カッタによって切断されて切断用パスを走行する基材の切断端の下面を、該カッタからリールドラムに至るまでの間で支持する基材サポートユニットと、リールドラムの上方に新巻取コアを待機させ、カッタによって切断された基材の切断端が該新巻取コアの下方に到達したときに、該新巻取コアを該リールドラムの上に落下させて該基材の切断端を該新巻取コアと該リールドラムとで挟み、該基材の切断端を該新巻取コア上の粘着テープに粘着させて該新巻取コアに巻取り開始する基材巻取開始装置と、基材サポートユニットを、巻取用パスを走行する基材の下面とリールドラムとの間の待機位置と、切断用パスを走行する基材の下面とリールドラムとの間の作業位置とに切換移動させる基材サポートユニット切換移動装置とを有してなるようにしたものである。
【００１７】
請求項６に係る発明は、請求項５に係る発明において更に、前記基材サポートユニットが、基材の切断端の下面を支持する下部ガイド板を有してなるようにしたものである。
【００１８】
請求項７に係る発明は、請求項６に係る発明において更に、前記基材サポートユニットが、カッタから下部ガイド板に至るまでの間で走行する基材の切断端の下面を吹出エアによって支持するエア吹出装置を有してなるようにしたものである。
【００１９】
請求項８に係る発明は、請求項５乃至７のいずれかに係る発明において更に、前記基材巻取開始装置が、基材の切断端及び粘着テープを新巻取コアとの間でニップする巻込みローラを有してなるようにしたものである。
【発明の効果】
【００２０】
（請求項１、５）
(a)基材をリールドラムによって巻取コアに押圧して該巻取コアに巻取るときには、基材がリールドラムに対し巻取用抱き着き角で抱き着くように該基材を巻取用パスに沿って該リールドラムに進入させる。
【００２１】
従って、基材はリールドラムに対して必要とされる一定の巻取用抱き着き角を確保しながら巻取り可能にされ、結果として、リールドラムの回転力を確実に付与されて必要とされる張力を生じ、この張力によってその上流側パスからリールドラムに安定的に導入され得るものになる。
【００２２】
(b)巻取コアに所定量を巻取った後の基材の切断時には、基材のパスを、該基材がリールドラムに対して上述(a)の巻取用抱き着き角より小さな切断用抱き着き角で抱き着く切断用パスに切換えた状態で、この切断用パスを走行する基材の幅方向に沿ってカッタを原位置から切断完了位置までトラバースさせることで、該カッタの高い切断能力によって該基材を確実に切断できる。
【００２３】
尚、カッタの原位置への復帰時には、カッタによって切断された基材のパスを巻取用パスに切換えることで、該カッタを上記基材に干渉させることなく切断完了位置から原位置に復帰させることができる。
【００２４】
(c)上述(b)によって切断された基材の切断端をカッタからリールドラムに向けて走行させるときには、基材サポートユニットが切断用パスを走行する基材の下面とリールドラムとの間の作業位置に切換移動されており、上記基材の切断端の下面が基材サポートユニットによって支持されることで、該基材の切断端をカッタからリールドラムに向けて安定的に走行させることができる。
【００２５】
尚、切断された基材の切断端が通過した後の基材サポートユニットは、上述(b)の切断用パスを走行する基材の下面とリールドラムとの間の上記作業位置から、上述(a)の巻取用パスを走行する基材の下面とリールドラムとの間の待機位置に切換移動される。これにより、基材のパスは、上述(b)の切断用パスから、基材サポートユニットに干渉することなく上述(a)の巻取用パスに切換えられ、基材の上述(a)による安定した巻取りの継続を可能にする。
【００２６】
（請求項２、６）
(d)上述(c)の基材サポートユニットは、下部ガイド板の存在により、基材の切断端の下面を確実に支持する。
【００２７】
（請求項３、７）
(e)上述(c)の基材サポートユニットは、エア吹出装置の存在により、カッタから下部ガイド板に至るまでの間で走行する基材の切断端の下面を確実に支持する。
【００２８】
（請求項４、８）
(f)上述(b)で切断され、上述(c)でリールドラムに向けて走行する基材の切断端を、新巻取コア上の粘着テープに粘着させて該新巻取コアに巻取開始可能にする基材巻取開始装置が、基材の切断端及び粘着テープを新巻取コアとの間にニップする巻込みローラを有する。従って、基材巻取開始装置は、基材の切断端を新巻取コアの粘着テープに確実に粘着させることができる。
【図面の簡単な説明】
【００２９】
【図１】図１は基材巻取装置を示す側面図である。
【図２】図２は図１のII-II線に沿う矢視図である。
【図３】図３は図１の要部拡大図である。
【図４】図４は図２の要部拡大図である。
【図５】図５は図２の要部拡大図である。
【図６】図６は図２の要部拡大図である。
【図７】図７は基材サポートユニット、基材巻取開始装置及び基材サポートユニット切換移動装置を示す側面図である。
【図８】図８はカッタ及び基材サポートユニットを示す平面図である。
【図９】図９はカッタ及び基材サポートユニットを示す側面図である。
【発明を実施するための形態】
【００３０】
基材巻取装置１００は、図１乃至図５に示す如く、連続的に走行してくる基材１をリールドラム１０に抱き着かせて案内し、該基材１を該リールドラム１０によって巻取コア２１に押圧して該巻取コア２１に巻取り、該巻取コア２１への巻取が所定量に達して満巻となったときに、基材１の走行を停止することなく、該基材１を切断し、その切断端１Ａ（図９）を新巻取コア２２に巻取ることにより、該基材１の巻取先を巻取コア２１から新巻取コア２２へ切換える。
【００３１】
リールドラム１０は、架台１０３に支持されているドラムアクチュエータ１１によって回転され、該リールドラム１０の上流側から架台１０２に設置されているパスロール１３等を経て送給されてくる基材１を巻取コア２１との間に挟持し、該リールドラム１０の回転力（ひいては巻取コア２１の回転力）に起因する巻取張力を該基材１に付与しつつ、該基材１を巻取コア２１に巻取る。
【００３２】
基材巻取装置１００は、左右一対のセクターアーム３０及び水平レール４０等を備える。
【００３３】
セクターアーム３０は、リールドラム１０を挟む左右両側に配設され、鉛直方向に沿う待機位置と、水平方向に沿う移載位置との間で旋回可能とされる。待機位置にあるセクターアーム３０は、コア投入位置Ｃ（図１）に投入される空の巻取コア２１の両端部を、該セクターアーム３０の先端のＵ字状受部に受容するとともに、該セクターアーム３０に設けたプライマリアクチュエータ３１Ａにより開閉されるプライマリアーム３１により保持し、該巻取コア２１をリールドラム１０の鉛直上方に待機させるとともに、該巻取コア２１の両端部を該セクターアーム３０に備えてあるコア受３２の上に載せ置く。セクターアーム３０に支持された巻取コア２１は、架台１０３に設けられているスプールスタータ３３によって駆動されて基材１の送給ライン速度に同調されるとともに、リールドラム１０の上流より送給されてくる基材１の端部１Ａが該巻取コア２１を通過した直後にコア受３２の下降によって該リールドラム１０の上に落下され、該基材１をリールドラム１０と巻取コア２１との間に挟持しながら、その端部１Ａを巻取コア２１上に予め付着してある粘着テープ２３（図９）に粘着させて該巻取コア２１に巻取り開始する。
【００３４】
セクターアーム３０は、基材１の端部１Ａを巻取コア２１に巻取り開始した後、水平方向に沿う移載位置に転倒され、架台１０４に設けられている水平レール４０上の巻取作業位置Ｂ（図１）に巻取コア２１を移載する。架台１０４には、シリンダ４１Ａによって水平レール４０に沿って水平移動するセカンダリアーム４１が設けられ、セカンダリアーム４１は水平レール４０上に移載された巻取コア２１をシリンダ４２Ａによってリールドラム１０の側に押圧し／又はリールドラム１０の側から引き離すコアクランプ４２を備える。水平レール４０に移載された巻取コア２１は、セカンダリアーム４１のコアクランプ４２によってリールドラム１０の側に押圧されながら巻取りを続けつつ、水平レール４０上を払い出し位置Ａ（図１）に向けて水平移動する。この間、セクターアーム３０は鉛直方向に沿う待機位置に復帰し、リールドラム１０の鉛直上方に待機している別の空の新巻取コア２２をその待機位置にて支持する。
【００３５】
しかるに、基材巻取装置１００にあっては、水平レール４０上の巻取コア２１が満巻状態になる直前に、基材１を切断して該基材１の巻取り先を以下の如くに巻取コア２１から新巻取コア２２へ切換える。
【００３６】
基材巻取装置１００は、パス切換ロール５０、カッタ６０、基材サポートユニット７０、基材巻取開始装置８０、基材サポートユニット切換移動装置９０を有して構成される。
【００３７】
パス切換ロール５０は、架台１０２に設けた鉛直ガイド５１に沿ってリールドラム１０とパスロール１３との間で昇降可能に配置され、昇降アクチュエータ５２によって下端側の巻取用パス形成位置と上端側の切断用パス形成位置との間で昇降される。即ち、パス切換ロール５０は、基材１をリールドラム１０に進入させるパスを切換可能にする。パス切換ロール５０が巻取用パス形成位置に設定されたとき、基材１のパスは、該基材１が該リールドラム１０に対し巻取用抱き着き角αで抱き着くように該基材１を該リールドラム１０に進入させる巻取用パスＰ1に切換えられる（図１）。パス切換ロール５０が切断用パス形成位置に設定されたとき、基材１のパスは、該基材１が該リールドラム１０に対して巻取用抱き着き角αより小さな切断用抱き着き角βで抱き着くように該基材１を該リールドラム１０に進入させる切断用パスＰ2に切換えられる（図１）。
【００３８】
カッタ６０は、トラバースアクチュエータ６１によって、架台１０１から上方に延在させた支持ビーム１０１Ａに支持されるトラバースガイド６２に案内されて、基材１の送給ラインに直交する方向に沿って往復動され、基材１の送給ラインを該基材１の幅方向で挟む両外側端である原位置と切断完了位置の間をトラバースできる。カッタ６０は、上下一対のロータリーカッタ（又は、上ロータリーカッタと下受具の対等によって構成されるものでも可）によって構成され、基材１を上下から挟んで該基材１を切断する。基材１の切断端１Ａは、基材１の長手方向に対して、該基材１の設定基材幅Ｗの一端である切断始点Ｌ1から他端である切断終点Ｌ2に向かう直線状斜線をなし、切断始点Ｌ1よりも切断終点Ｌ2を基材１の走行方向Ｆの下流側に位置せしめられる（図８（Ｂ））。
【００３９】
即ち、カッタ６０は、リールドラム１０に対する上流位置で、切断用パスＰ2を走行する基材１の幅方向に沿って原位置から切断完了位置までトラバースし、該基材１を切断する。そして、カッタ６０は、切断された基材１のパスがパス切換ロール５０によって切断用パスＰ2から巻取用パスＰ1に切換えられたときに、切断完了位置から原位置に復帰せしめられる。
【００４０】
尚、カッタ６０は、該カッタ６０によって切断されて切断用パスＰ2をリールドラム１０に向けて走行中の基材１の切断端１Ａの上下面１Ｕ、１Ｄを上下から挟み、該基材１の切断端１Ａを支持する上ガイド部６３と下ガイド部６４を付帯して備えることもできる（図８、図９）。
【００４１】
基材サポートユニット７０は、カッタ６０によって切断されて切断用パスＰ2をリールドラム１０に向けて走行中の基材１の切断端１Ａの下面１Ｄを、該カッタ６０からリールドラム１０に至るまでの間で支持する。
【００４２】
即ち、基材サポートユニット７０は、基材１の切断端１Ａの下面１Ｄを支持する下部ガイド板７１を有する。更に、基材サポートユニット７０は、カッタ６０から下部ガイド板７１に至るまでの間で走行する基材１の切断端１Ａの下面１Ｄを吹出エアによって支持するエア吹出装置７２を有することもできる（図８、図９）。
【００４３】
尚、基材サポートユニット７０は、下部ガイド板７１を備えずに、エア吹出装置７２だけを有するものとすることもでき、その場合のエア吹出装置７２の吹出エアは、基材１の切断端１Ａの下面１Ｄをカッタ６０からリールドラム１０に至るまでの間で支持するものになる。
【００４４】
基材巻取開始装置８０は、本実施形態では、セクターアーム３０に備えたコア受３２と、架台１０１の支持ビーム１０１Ａに設けられる巻込みローラ８１にて構成される。
【００４５】
即ち、基材巻取開始装置８０は、リールドラム１０の上方に新巻取コア２２を待機させ、カッタ６０によって切断された基材１の切断端１Ａが新巻取コア２２の下方を通過した直後に、コアアクチュエータ３２Ａ（図４）によってコア受３２を下降動作させることにより、新巻取コア２２をリールドラム１０の上に落下させて該基材１の切断端１Ａを該新巻取コア２２と該リールドラム１０とで挟み、該基材１の切断端１Ａを予め新巻取コア２２上に付着してある粘着テープ２３に粘着させて該新巻取コア２２に巻取り開始する。
【００４６】
また、基材巻取開始装置８０は、基材１の切断端１Ａ及び粘着テープ２３を新巻取コア２２との間でニップする巻込みローラ８１を有する。巻込みローラ８１は、図６、図７に示す如く、架台１０１の支持ビーム１０１Ａに設けた横行アクチュエータ８１Ａによって、該支持ビーム１０１Ａに設けた横行ガイド８２に沿って基材１の設定基材幅Ｗにおける切断始点Ｌ1に対応する位置まで横行されるとともに、該支持ビーム１０１Ａに設けたニップアクチュエータ８１Ｂにより下降されることにより、新巻取コア２２に対して押圧されて基材１及び粘着テープ２３を該新巻取コア２２との間でニップ可能にする。
【００４７】
基材サポートユニット切換移動装置９０は、図６、図７に示す如く、架台１０１に設けた旋回アクチュエータ９１によって基材サポートユニット７０（下部ガイド板７１及びエア吹出装置７２）を旋回可能にする。これにより、基材サポートユニット切換移動装置９０は、基材サポートユニット７０（下部ガイド板７１及びエア吹出装置７２）を、巻取用パスＰ1を走行する基材１の下面とリールドラム１０との間の待機位置と、切断用パスＰ2を走行する基材１の下面とリールドラム１０との間の作業位置とに切換移動させる（図７）。
【００４８】
次に、基材巻取装置１００による基材１の巻取り手順について説明する。
１．コア替え準備過程
1-1．コア投入位置Ｃで、新巻取コア２２の両端部が、鉛直方向に沿う待機位置に設定されているセクターアーム３０の先端のＵ字状受部に受容され、セクターアーム３０に備えられていて基材巻取開始装置８０を構成するコア受３２の上に載せ置かれた状態で、セクターアーム３０に備えてあるプライマリアーム３１によって保持される。
【００４９】
新巻取コア２２には粘着テープ２３が貼付けられている。粘着テープ２３は、新巻取コア２２の軸方向の中央部よりも一端側（粘着テープ２３がリールドラム１０との間に挟持する基材１の幅方向の一端側、換言すれば基材１のカッタ６０による切断端１Ａの切断始点Ｌ1に近い側）の外周に貼付けるのが、基材１の切断端１Ａを切断始点Ｌ1の側から該粘着テープ２３に粘着して新巻取コア２２に確実に巻付開始可能にする上で好ましい。
【００５０】
1-2．パス切換ロール５０が巻取用パス形成位置から切断用パス形成位置まで上昇し、基材１がリールドラム１０に進入するパスを巻取用パスＰ1から切断用パスＰ2に切換える。
【００５１】
1-3．基材サポートユニット切換移動装置９０が基材サポートユニット７０を待機位置から上昇させて作業位置に切換え、切断用パスＰ2を走行する基材１の下面とリールドラム１０との間に基材サポートユニット７０（下部ガイド板７１及びエア吹出装置７２）を位置付ける。
【００５２】
1-4．基材巻取開始装置８０を構成する巻込みローラ８１が横行アクチュエータ８１Ａによって横行され、基材１の設定基材幅Ｗにおける切断始点Ｌ1に対応する位置に設定される。
【００５３】
1-5．ニップアクチュエータ８１Ｂによって巻込みローラ８１を下降して新巻取コア２２に押圧する。
【００５４】
1-6．新巻取コア２２をスプールスタータ３３によって駆動し、基材１の送給ライン速度に同調させる。
【００５５】
２．コア替え過程
2-1．水平レール４０上の巻取コア２１が満巻状態になる直前に至ったとき、基材サポートユニット７０のエア吹出装置７２からエアを吹出し、カッタ６０をトラバースアクチュエータ６１によって原位置から切断完了位置までトラバースし、切断用パスＰ2を走行中の基材１を設定基材幅Ｗの切断始点Ｌ1から切断終点Ｌ2に向けて切断する。
カッタ６０は切断完了位置で停止して一時待機する。
【００５６】
カッタ６０によって切断されて切断用パスＰ2をリールドラム１０に向けて走行する基材１の切断端１Ａの下面１Ｄが、該カッタ６０からリールドラム１０に至るまでの間で、基材サポートユニット７０（下部ガイド板７１及びエア吹出装置７２）によって支持される。
【００５７】
2-2．カッタ６０によって切断された基材１の切断端１Ａが新巻取コア２２の下方を通過した直後に、基材巻取開始装置８０を構成するコア受３２がコアアクチュエータ３２Ａにより下降して新巻取コア２２をリールドラム１０の上に落下させて、基材１の切断端１Ａを新巻取コア２２とリールドラム１０とで挟み、該基材１の切断端１Ａを予め新巻取コア２２上に貼り付けてある粘着テープ２３に粘着させて該新巻取コア２２に巻取り開始する。
【００５８】
2-3．ニップアクチュエータ８１Ｂによって巻込みローラ８１を上昇させて新巻取コア２２から離隔させる。
【００５９】
2-4．基材サポートユニット切換移動装置９０によって基材サポートユニット７０を作業位置から下降させて待機位置に切換える。
【００６０】
2-5．パス切換ロール５０が切断用パス形成位置から巻取用パス形成位置まで下降し、基材１がリールドラム１０に進入するパスを切断用パスＰ2から巻取用パスＰ1に切換える。
【００６１】
2-6．カッタ６０がトラバースアクチュエータ６１によって切断完了位置から原位置まで戻る。これにより、基材１はリールドラム１０に対し、巻取用抱き着き角αで抱き着いて走行し、該リールドラム１０によって新巻取コア２２に押圧されて巻取られるものになり、基材１の巻取先が巻取コア２１から新巻取コア２２に切換わる。
【００６２】
３．満巻コア排出過程
3-1．水平レール４０上で満巻状態になった巻取コア２１をリールドラム１０の側に押圧していたセカンダリアーム４１のコアクランプ４２を開放し、該巻取コア２１をリールドラム１０の側から引き離して払い出し位置Ａまで水平移動させる。
【００６３】
3-2．巻取コア２１が払い出し位置Ａに到達後、セクターアーム３０を待機位置から水平方向に沿う移載位置まで旋回させる。セカンダリアーム４１はシリンダ４１Ａにより後退限に退避する。
【００６４】
3-3．セクターアーム３０によって新巻取コア２２が巻取作業位置Ｂに到達すると、セカンダリアーム４１がシリンダ４１Ａによって前進限まで移動し、セカンダリアーム４１のコアクランプ４２が新巻取コア２２をリールドラム１０の側に押圧後、セクターアーム３０のプライマリアーム３１が新巻取コア２２の両端部から開放される。
【００６５】
3-4．セクターアーム３０の先端のＵ字状受部に受容されている新巻取コア２２に巻取られている基材１が所定の巻取径に達すると、セクターアーム３０は元のコア投入位置Ｃに旋回して戻る。
【００６６】
3-5．コア投入位置Ｃでは、基材巻取開始装置８０を構成するコア受３２が上昇し、スプールスタータ３３がその側傍にコア受入スペースを形成するようにスタータ退避用シリンダ３４によって退避し、次の新巻取コア２２をセクターアーム３０の先端のＵ字状受部に受容可能とするコア替え準備状態となる。
【００６７】
従って、本実施例によれば、以下の作用効果を奏する。
(a)基材１をリールドラム１０によって巻取コア２１に押圧して該巻取コア２１に巻取るときには、基材１がリールドラム１０に対し巻取用抱き着き角αで抱き着くように該基材１を巻取用パスＰ1に沿って該リールドラム１０に進入させる。
【００６８】
従って、基材１はリールドラム１０に対して必要とされる一定の巻取用抱き着き角αを確保しながら巻取り可能にされ、結果として、リールドラム１０の回転力を確実に付与されて必要とされる張力を生じ、この張力によってその上流側パスからリールドラム１０に安定的に導入され得るものになる。
【００６９】
(b)巻取コア２１に所定量を巻取った後の基材１の切断時には、基材１のパスを、該基材１がリールドラム１０に対して上述(a)の巻取用抱き着き角αより小さな切断用抱き着き角βで抱き着く切断用パスＰ2に切換えた状態で、この切断用パスＰ2を走行する基材１の幅方向に沿ってカッタ６０を原位置から切断完了位置までトラバースさせることで、該カッタ６０の高い切断能力によって該基材１を確実に切断できる。
【００７０】
尚、カッタ６０の原位置への復帰時には、カッタ６０によって切断された基材１のパスが巻取用パスＰ1に切換えられていて、該カッタ６０が上記基材１に干渉することなく切断完了位置から原位置に復帰し得るものになる。
【００７１】
(c)上述(b)によって切断された基材１の切断端１Ａをカッタ６０からリールドラム１０に向けて走行させるときには、基材サポートユニット７０が切断用パスＰ2を走行する基材１の下面１Ｄとリールドラム１０との間の作業位置に切換移動されており、上記基材１の切断端１Ａの下面１Ｄが基材サポートユニット７０によって支持されることで、該基材１の切断端１Ａをカッタ６０からリールドラム１０に向けて安定的に走行させることができる。
【００７２】
尚、切断された基材１の切断端１Ａが通過した後の基材サポートユニット７０は、上述(b)の切断用パスＰ2を走行する基材１の下面１Ｄとリールドラム１０との間の上記作業位置から、上述(a)の巻取用パスＰ1を走行する基材１の下面１Ｄとリールドラム１０との間の待機位置に切換移動される。これにより、基材１のパスは、上述(b)の切断用パスＰ2から、基材サポートユニット７０に干渉することなく上述(a)の巻取用パスＰ1に切換えられ、基材１の上述(a)による安定した巻取りの継続を可能にする。
【００７３】
(d)上述(c)の基材サポートユニット７０は、下部ガイド板７１の存在により、基材１の切断端１Ａの下面１Ｄを確実に支持する。
【００７４】
(e)上述(c)の基材サポートユニット７０は、エア吹出装置７２の存在により、カッタ６０から下部ガイド板７１に至るまでの間で走行する基材１の切断端１Ａの下面１Ｄを確実に支持する。
【００７５】
(f)上述(b)で切断され、上述(c)でリールドラム１０に向けて走行する基材１の切断端１Ａを、新巻取コア２２上の粘着テープ２３に粘着させて該新巻取コア２２に巻取開始可能にする基材巻取開始装置８０が、基材１の切断端１Ａ及び粘着テープ２３を新巻取コア２２との間にニップする巻込みローラ８１を有する。従って、基材巻取開始装置８０は、基材１の切断端１Ａを新巻取コア２２の粘着テープ２３に確実に粘着させることができる。
【００７６】
以上、本発明の実施例を図面により詳述したが、本発明の具体的な構成はこの実施例に限られるものではなく、本発明の要旨を逸脱しない範囲の設計の変更等があっても本発明に含まれる。例えば、コア替え過程において、基材１の切断端１Ａをリールドラム１０との間で挟む前段階（コア替え準備過程）で、新巻取コア２２は基材１の送給ライン速度に必ずしも同調されず、無回転であっても良く、或いはリールドラム１０の表面周速よりも低速の回転を付与されていても良い。
【００７７】
また、セクターアーム３０により待機位置に保持される巻取コア２１、２２は、必ずしもリールドラム１０の鉛直上方でなく、リールドラム１０に対するいかなる方向に待機されるものでも良い。
【産業上の利用可能性】
【００７８】
本発明によれば、基材をリールドラムによって巻取コアに押圧して該巻取コアに巻取るに際し、リールドラムに対して必要とされる一定の巻取用抱き着き角を基材に確保しながら該基材を巻取り可能にするとともに、巻取コアに所定量を巻取った後の基材をカッタによって確実に切断可能にし、切断された基材の切断端をカッタからリールドラムに向けて安定的に走行させることができる。
【符号の説明】
【００７９】
１  基材
１Ａ  切断端
１Ｄ  下面
１０  リールドラム
２１、２２  巻取コア
５０  パス切換ロール
６０  カッタ
７０  基材サポートユニット
７１  下部ガイド板
７２  エア吹出装置
８０  基材巻取開始装置
８１  巻込みローラ
９０  基材サポートユニット切換移動装置
１００  基材巻取装置
α  巻取用抱き着き角
β  切断用抱き着き角
Ｐ1  巻取用パス
Ｐ2  切断用パス
【図１】
2019182619.tif 000003
【図２】
2019182619.tif 000004
【図３】
2019182619.tif 000005
【図４】
2019182619.tif 000006
【図５】
2019182619.tif 000007
【図６】
2019182619.tif 000008
【図７】
2019182619.tif 000009
【図８】
2019182619.tif 000010
【図９】
2019182619.tif 000011